(57)【要約】      （修正有）【課題】電流センサの略０固着故障時においても遮断機能の異常を検出可能な異常判定システムを提供する。【解決手段】制御装置４０のゲート指令部４４は、ブリッジ回路６０の複数のスイッチング素子６１−６６のゲートを駆動する駆動信号を生成する。信号切替部としてのＡＮＤ回路４８は、駆動信号が入力され、且つ、複数のスイッチング素子６１−６６のゲート駆動を停止する遮断信号が入力されないとき、駆動信号をブリッジ回路６０に出力する。またＡＮＤ回路４８は、遮断信号が入力されたとき、駆動信号の出力を停止し、インバータ３０の遮断機能を動作させる。電源リレー１５が開動作したとき、制御装置４０は、平滑コンデンサ５０の電荷を放電させる放電処理を開始し、且つ、放電処理の実施中に遮断機能を動作させる。遮断機能の動作時に、コンデンサ電圧Ｖｃが低下していると判断されたとき、異常判定部４５は、遮断機能が異常であると判定する。【選択図】図１
2020018157.tif 000002
【特許請求の範囲】
【請求項１】
複数のスイッチング素子（６１−６６）がブリッジ接続されたブリッジ回路（６０）、前記ブリッジ回路の入力部に設けられる平滑コンデンサ（５０）、及び、前記ブリッジ回路の駆動を制御する制御装置（４０）を含み、直流電力供給源（１０）から前記ブリッジ回路に入力された直流電力を交流電力に変換して回転電機（８０）に供給するインバータ（３０）と、
前記直流電力供給源と前記平滑コンデンサとの間に設けられ、前記直流電力供給源から前記ブリッジ回路への電力供給を遮断可能な電源リレー（１５）と、
を備え、
前記制御装置は、
前記ブリッジ回路の複数のスイッチング素子のゲートを駆動する駆動信号を生成するゲート指令部（４４）、前記駆動信号が入力され、且つ、前記ブリッジ回路の複数のスイッチング素子のゲート駆動を停止する遮断信号が入力されないとき、前記駆動信号を前記ブリッジ回路に出力し、前記遮断信号が入力されたとき、前記駆動信号の出力を停止し、前記インバータの遮断機能を動作させる信号切替部（４８）、及び、前記遮断機能の異常を判定する異常判定部（４５）を含み、
前記電源リレーが開動作したとき、前記制御装置は、前記ブリッジ回路を駆動して前記平滑コンデンサの電荷を放電させる放電処理を開始し、且つ、前記放電処理の実施中に前記遮断機能を動作させ、前記遮断機能の動作時に、直接に又は間接的に検出された前記平滑コンデンサの電圧（Ｖｃ）が低下していると判断されたとき、前記異常判定部は、前記遮断機能が異常であると判定する異常判定システム。
【請求項２】
前記放電処理の開始後、前記遮断機能が動作する以前の期間に、前記平滑コンデンサの電圧が維持されていると判断されたとき、前記異常判定部は、前記インバータの放電機能が異常であると判定する請求項１に記載の異常判定システム。
【請求項３】
前記信号切替部は、入力された複数の前記遮断信号のうちいずれか一つ以上に基づき前記遮断機能を動作させ、
前記異常判定部は、複数の前記遮断信号について、互いの作動が排他的である期間における前記平滑コンデンサの電圧低下に基づいて異常を判定する請求項１または２に記載の異常判定システム。
【請求項４】
複数の前記インバータ（３０１、３０２）を備え、
各前記インバータの前記制御装置（４０１、４０２）は、互いに異なるタイミングで前記放電処理及び前記遮断機能の異常診断を実施する請求項１〜３のいずれか一項に記載の異常判定システム。
【請求項５】
各前記インバータの前記制御装置は、前記電源リレーが開動作した後、各前記インバータについての前記放電処理及び前記遮断機能の異常診断を、前記インバータ一つずつ順に実施する請求項４に記載の異常判定システム。
【請求項６】
各前記インバータの前記制御装置は、一回の前記リレー開動作に対応して、順に選択される一つ以上の前記インバータについての前記放電処理及び前記遮断機能の異常診断を実施する請求項４に記載の異常判定システム。
【請求項７】
複数の前記インバータ(３０１、３０２）と、
各前記インバータの前記ブリッジ回路への電力供給を個別に遮断可能な複数の前記電源リレー（１５１、１５２）と、
を備える請求項１〜６のいずれか一項に記載の異常判定システム。
【請求項８】
前記直流電力供給源と前記インバータとの間に設けられ、前記直流電力供給源の電圧を昇圧して前記インバータに出力する昇圧コンバータ（１８）をさらに備え、
前記遮断機能の異常診断を実施する前に、前記昇圧コンバータの動作を停止する請求項１〜７のいずれか一項に記載の異常判定システム。
【発明の詳細な説明】
【技術分野】
【０００１】
本発明は、インバータの遮断機能の異常を判定する異常判定システムに関する。
【背景技術】
【０００２】
従来、回転電機を駆動するインバータにおいて、スイッチング素子のゲート駆動を停止させる遮断機能の異常を判定する装置が知られている。例えば特許文献１に開示された車両用の駆動装置は、車両の走行が終了した後、電力変換器を遮断させるための遮断機能の異常を判定する。
【０００３】
この駆動装置の制御装置は、駆動電流を流す駆動指令と、駆動指令よりも優先的に電力変換器を遮断させるための遮断指令とを出力する。そして制御装置は、駆動指令、及び、電力変換器を遮断させるための遮断指令の両方が出力されている間に駆動電流が判定されたことによって、電力変換器を遮断させるための遮断機能に異常があると判定する。
【先行技術文献】
【特許文献】
【０００４】
【特許文献１】特許第５２８７７０５号公報
【発明の概要】
【発明が解決しようとする課題】
【０００５】
以下、電流に関して「略０」とは「略０［Ａ］」を意味し、機器の分解能や検出誤差を考慮して実質的に「０［Ａ］」と見做される範囲の電流を示す。一般に駆動電流を流す指令は、二相の電流センサの出力値を参照しながら駆動状態を制御するように決定される。また、特許文献１の装置によると、電流センサの出力値が略０ならば遮断機能は正常であり、電流センサの出力値が略０より大きいか、略０より小さければ、駆動電流が流出しており遮断機能が異常であると判定される。
【０００６】
例えばＶ相及びＷ相の二相に設けられた電流センサのうちＶ相電流センサに「略０固着故障」が発生した場合を想定する。この場合、Ｕ相からＶ相への電流経路に駆動電流が流れていたとしても、Ｖ相電流センサの出力が略０であるため、遮断機能が正常と判定される。さらにＶ相、Ｗ相両方の電流センサに「略０固着故障」が発生した場合、どの相に駆動電流が流れていたとしても遮断機能が正常と判定される。したがって、遮断機能の異常を正しく検出できない。
【０００７】
なお、特許文献１の実施の形態２では、平滑コンデンサの電圧低下が発生し、かつ駆動電流の流出が検出された場合に遮断機能が異常であると判定される。すなわち、平滑コンデンサの電圧低下が発生していたとしても、一相以上の電流センサに「略０固着故障」が発生していれば遮断機能の異常を正しく検出できないことは、平滑コンデンサの電圧を診断に用いない場合と同様である。
【０００８】
本発明は、このような点に鑑みて創作されたものであり、その目的は、電流センサの略０固着故障時においても遮断機能の異常を検出可能な異常判定システムを提供することにある。
【課題を解決するための手段】
【０００９】
本発明の異常判定システムは、インバータ（３０）と、電源リレー（１５）と、を備える。インバータは、複数のスイッチング素子（６１−６６）がブリッジ接続されたブリッジ回路（６０）、ブリッジ回路の入力部に設けられる平滑コンデンサ（５０）、及び、ブリッジ回路の駆動を制御する制御装置（４０）を含む。インバータは、直流電力供給源（１０）からブリッジ回路に入力された直流電力を交流電力に変換して回転電機（８０）に供給する。電源リレーは、直流電力供給源と平滑コンデンサとの間に設けられ、直流電力供給源からブリッジ回路への電力供給を遮断可能である。
【００１０】
制御装置は、ゲート指令部（４４）、信号切替部（４８）、及び、異常判定部（４５）を含む。ゲート指令部は、ブリッジ回路の複数のスイッチング素子のゲートを駆動する駆動信号を生成する。信号切替部は、駆動信号が入力され、且つ、ブリッジ回路の複数のスイッチング素子のゲート駆動を停止する遮断信号が入力されないとき、駆動信号をブリッジ回路に出力する。また信号切替部は、遮断信号が入力されたとき、駆動信号の出力を停止し、インバータの遮断機能を動作させる。異常判定部は、遮断機能の異常を判定する。
【００１１】
電源リレーが開動作したとき、制御装置は、ブリッジ回路を駆動して平滑コンデンサの電荷を放電させる放電処理を開始し、且つ、放電処理の実施中に遮断機能を動作させる。遮断機能の動作時に、直接に又は間接的に検出された平滑コンデンサの電圧（Ｖｃ）が低下していると判断されたとき、異常判定部は、遮断機能が異常であると判定する。「間接的に検出」とは、例えば平滑コンデンサの高電位側電極からブリッジ回路に流出する電流を検出することで、平滑コンデンサの電圧を検出することをいう。
【００１２】
本発明の異常判定システムでは、特許文献１の従来技術のように電流センサの電流値を用いるのでなく、平滑コンデンサの電圧の低下のみに基づいて遮断機能の異常を判定するため、一相以上の電流センサが略０固着故障した場合でも、遮断機能の異常診断を適切に実施することができる。
【００１３】
また、特許文献１の従来技術では複数の遮断指令のうち、いずれの遮断指令が異常であるかを特定していない。また、複数のインバータに対し蓄電装置の直後に共通のシステムメインリレーが設けられるシステム構成において、各インバータのモータ電流は、タイミングが区別されることなく電流検出部に入力される。すなわち、複数の遮断指令についての異常検出の干渉や、複数のインバータ間での異常検出の干渉に関し考慮されていない。それに対し本発明では、複数の遮断信号を異常診断する場合や複数のインバータについて異常診断する場合、診断のタイミングをずらすこと等により、異常検出の干渉を回避することが望ましい。
【図面の簡単な説明】
【００１４】
【図１】第１実施形態の異常判定システムの全体構成図。
【図２】図１のシステム構成を簡略化した構成図。
【図３】第１実施形態における駆動信号及び遮断信号に関する構成を示す図。
【図４】第１実施形態の診断処理のフローチャート。
【図５】第１実施形態の診断処理のタイムチャート。
【図６】診断開始時電圧による診断実施判定のフローチャート。
【図７】平滑コンデンサと並列に他の機器が接続されているシステムの図。
【図８】第２実施形態の異常判定システムの構成図。
【図９】第３実施形態における駆動信号及び遮断信号に関する構成を示す図。
【図１０】第３実施形態の診断処理のフローチャート。
【図１１】第３実施形態の診断処理のタイムチャート。
【図１２】第４実施形態の異常判定システムの構成図。
【図１３】第４実施形態における駆動信号及び遮断信号に関する構成を示す図。
【図１４】第４実施形態の診断処理のフローチャート。
【図１５】第５実施形態の診断処理のフローチャート。
【図１６】第６実施形態の異常判定システムの構成図。
【図１７】第７実施形態の異常判定システムの構成図。
【図１８】第８実施形態の異常判定システムの構成図。
【図１９】第８実施形態の異常判定システムにおいて、診断対象となるインバータが限定される場合の図。
【発明を実施するための形態】
【００１５】
以下、異常判定システムの複数の実施形態を図面に基づいて説明する。複数の実施形態において実質的に同一の構成又はフローチャートの実質的に同一のステップには、同一の符号又は同一のステップ番号を付して説明を省略する。また、第１〜第８実施形態を包括して「本実施形態」という。本実施形態の異常判定システムは、「回転電機」としてのモータを動力源として備えるハイブリッド自動車や電気自動車に搭載される。
【００１６】
車両の通常走行時、異常判定システムは、「直流電力供給源」としてのバッテリの直流電力をインバータにより交流電力に変換して交流モータに供給する。そして、車両停止後にレディオフされ、バッテリとインバータとの間に設けられた電源リレーが開動作（すなわちＯＦＦ）したとき、異常判定システムは車両制御装置と協働し、遮断機能の異常を診断する。「遮断機能の異常」とは、インバータのブリッジ回路を構成するスイッチング素子のゲートを停止させる遮断信号の異常を意味する。
【００１７】
（第１実施形態）
第１実施形態の異常判定システムについて、図１〜図７を参照して説明する。図１に、一つのインバータ３０から一つの三相交流モータ８０に電力供給する異常判定システム９０１の全体構成を示す。異常判定システム９０１は、主にインバータ３０及び電源リレー１５を備える。
【００１８】
インバータ３０は、複数のスイッチング素子６１−６６がブリッジ接続されたブリッジ回路６０、ブリッジ回路の入力部に設けられる平滑コンデンサ５０、及び、ブリッジ回路の駆動を制御する制御装置４０を含む。このように本明細書では、ブリッジ回路６０のみを「インバータ」と呼ぶのでなく、平滑コンデンサ５０及び制御装置４０を含めて「インバータ」と定義する。インバータ３０は、「直流電力供給源」としてのバッテリ１０からブリッジ回路６０に入力された直流電力を交流電力に変換して、「回転電機」としてのモータ８０に供給する。電源リレー１５は、バッテリ１０と平滑コンデンサ５０との間に設けられ、バッテリ１０からブリッジ回路へ６０の電力供給を遮断可能である。
【００１９】
続いて各構成要素について詳しく説明する。バッテリ１０は、リチウムイオン電池等の充放電可能な二次電池であり、数百Ｖの高圧電圧を蓄電可能ないわゆる高圧バッテリである。ただし本明細書では、いわゆる低圧バッテリである補機バッテリに言及しないため、高圧バッテリを単に「バッテリ１０」と記す。バッテリ１０の正極は直流母線Ｌｐを経由して平滑コンデンサ５０の高電位電極に接続され、バッテリ１０の負極はグランド線Ｌｎを経由して平滑コンデンサ５０の低電位電極に接続される。バッテリ１０の充電量や温度は、バッテリ監視装置１２により監視される。
【００２０】
電源リレー１５は、例えば図１に示すようにバッテリ１０の正極と平滑コンデンサ５０の高電位電極との間の直流母線Ｌｐ上に設けられる。なお電源リレーは、特許文献１のシステムメインリレーのように直流母線Ｌｐ及びグランド線Ｌｎに跨って設けられてもよく、閉動作時の突入電流を防止するプリチャージリレーが組み合わされてもよい。電源リレー１５の開閉は、車両全体の挙動を統括する車両制御装置２０、又はバッテリ監視装置１２により操作される。バッテリ監視装置１２が電源リレー１５を操作すると、その情報は車両制御装置２０に通知される。
【００２１】
車両に適用される本実施形態において典型的には、車両のパワースイッチがレディオンされたとき電源リレーがＯＮ、すなわち閉動作される。一時的な停止を含む車両走行中には平滑コンデンサ５０に電荷が蓄積される。車両が停車しパワースイッチがレディオフされたとき電源リレー１５がＯＦＦ、すなわち開動作される。その後、駐車中の電気的安全性を確保するため一般に、平滑コンデンサ５０の残電荷を放電させる放電処理（いわゆるディスチャージ処理）が実施される。
【００２２】
インバータ３０のブリッジ回路６０は、上下アームの６つのスイッチング素子６１−６６がブリッジ接続されている。スイッチング素子６１、６２、６３は、それぞれＵ相、Ｖ相、Ｗ相の上アームのスイッチング素子であり、スイッチング素子６４、６５、６６は、それぞれＵ相、Ｖ相、Ｗ相の下アームのスイッチング素子である。スイッチング素子６１−６６は、例えばＩＧＢＴで構成され、低電位側から高電位側へ向かう電流を許容する還流ダイオードが並列に接続されている。
【００２３】
以下、車両の通常走行時におけるモータ制御を「通常制御」という。通常制御時、ブリッジ回路６０は、制御装置４０から出力されるゲート信号に従ってスイッチング素子６１−６６が動作することで直流電力を三相交流電力に変換する。そして、制御装置４０が演算した電圧指令に応じた相電圧をモータ８０の各相巻線８１、８２、８３に印加する。
【００２４】
平滑コンデンサ５０は、ブリッジ回路６０に入力される直流電圧を平滑化する。以下、平滑コンデンサ５０の電極間電圧、言い換えれば、グランド線Ｌｎの電位を基準とした直流母線Ｌｐの電圧を「コンデンサ電圧Ｖｃ」という。第１実施形態では、コンデンサ電圧Ｖｃを直接検出する電圧センサ５１が設けられている。
【００２５】
モータ８０の三相巻線８１、８２、８３のうち二相又は三相以上の巻線に接続される電流経路には相電流を検出する電流センサが設けられる。図１の例では、Ｖ相巻線８２及びＷ相巻線８３に接続される電流経路に、それぞれ相電流Ｉｖ、Ｉｗを検出する電流センサ７２、７３が設けられており、残るＵ相の電流Ｉｕをキルヒホッフの法則に基づいて推定している。他の実施形態では、どの二相の電流を検出してもよく、三相の電流を検出してもよい。
【００２６】
検出された相電流は、例えばｄｑ軸電流に座標変換されて電流指令に対してフィードバックされることにより、電圧指令がＰＩ演算される。なお、後述の通り、本実施形態ではそもそも電流センサが不要であるため、例えば通常制御時も電流検出値を用いずに、常にフィードフォワード制御によりブリッジ回路６０が駆動されてもよい。
【００２７】
モータ８０は、例えば永久磁石式同期型の三相交流モータである。本実施形態のモータ８０は、ハイブリッド自動車の駆動輪を駆動するトルクを発生する電動機としての機能、及び、エンジンや駆動輪から伝達されるトルクを発電によってエネルギー回収する発電機としての機能を兼ね備えたモータジェネレータである。なお、一般にモータ制御では座標変換演算等に用いる回転角を検出する回転角センサが設けられるが、図１での図示、及び明細書文中での言及を省略する。
【００２８】
制御装置４０は、ゲート指令部４４及び異常判定部４５を含むマイコン４１、並びに、「信号切替部」としてのＡＮＤ回路４８を含む。マイコン４１は、図示しないＣＰＵ、ＲＯＭ、Ｉ／Ｏ、及びこれらの構成を接続するバスライン等を内部に備えている。マイコン４１は、予め記憶されたプログラムをＣＰＵで実行することによるソフトウェア処理や、専用の電子回路によるハードウェア処理による制御を実行する。また、車両制御装置２０と制御装置４０とは、ＣＡＮ通信等のネットワークにより相互に通信可能となっている。
【００２９】
通常制御時にマイコン４１は、ベクトル制御等による一般的なモータ制御を実施する。すなわちマイコン４１は、制御器が演算したｄｑ軸電圧指令を三相変換して三相電圧指令を演算し、さらに変調器でＰＷＭ変調してゲート指令を出力する。電流フィードバック制御では、制御器は、電流検出値を電流指令に追従させるようにＰＩ制御してｄｑ軸電圧指令を演算する。電圧フィードフォワード制御では、制御器は、例えば電流指令から電圧方程式により算出したｄｑ軸電圧指令を演算する。このような一般的なモータ制御の構成は周知技術であるため、詳細な説明や信号入出力の図示を省略する。
【００３０】
特に本実施形態では、マイコン４１のゲート指令部４４は、ブリッジ回路６０の複数のスイッチング素子６１−６６のゲートを駆動する駆動信号ＤＲを生成する。異常判定部４５は、ゲート遮断時のコンデンサ電圧Ｖｃの変化に基づいて、後述する遮断機能の異常を判定する。さらに後述のように、異常判定部４５は、放電処理時のコンデンサ電圧Ｖｃの変化に基づいて、インバータ３０の放電機能の異常を判定する。
【００３１】
車両制御装置２０は、自身又はバッテリ監視装置１２の操作によって電源リレー１５が開動作したとき、ＣＡＮ通信により、マイコン４１のゲート指令部４４に放電指令を送信する。そのため、ゲート指令部４４からＡＮＤ回路４８の一方の入力端子に駆動信号ＤＲが入力される。また、ＡＮＤ回路４８の他方の入力端子には、自身のマイコン４１又は車両制御装置２０により生成された遮断信号ＳＯが否定入力される。遮断信号ＳＯは、ブリッジ回路６０の複数のスイッチング素子６１−６６のゲート駆動を停止する信号である。
【００３２】
つまりＡＮＤ回路４８は、駆動信号ＤＲが入力され、且つ遮断信号ＳＯが入力されないとき、駆動信号ＤＲをブリッジ回路６０に出力する。このとき制御装置４０は、ブリッジ回路６０のスイッチング素子６１−６６を動作させ、放電処理を実施することができる。
【００３３】
またＡＮＤ回路４８は、駆動信号ＤＲが入力されないとき、又は遮断信号ＳＯが入力されたとき、出力しない。したがって、ＡＮＤ回路４８は、マイコン４１又は車両制御装置２０から遮断信号ＳＯが入力されたとき、駆動信号ＤＲの出力を停止する。こうして、ゲート指令にかかわらずブリッジ回路６０のゲート駆動を停止する、すなわちＯＦＦ固定する作用を「インバータ３０の遮断機能を動作させる」と表す。制御装置４０は、放電処理の実施中にインバータ３０の遮断機能を動作させることで、平滑コンデンサ５０の放電を中断することができる。
【００３４】
図２は、図１のシステム構成を簡略化した図である。また、図３は、車両制御装置２０及び制御装置４０における駆動信号ＤＲ及び遮断信号ＳＯに関する通信構成を示す図である。図２、図３は第１実施形態の構成を表す基本図であり、第２実施形態以下の実施形態では、図２、図３に準じた形式の図により第１実施形態との構成の違いが示される。以下の実施形態の図で記載が省略される構成は、図１に準じて解釈されるものとする。
【００３５】
ところで、遮断信号ＳＯに異常が生じると、ブリッジ回路６０のゲート駆動を緊急に停止する必要がある場合に駆動が停止できない不都合が生じるため、遮断信号ＳＯの異常を診断するニーズがある。従来技術として特許文献１に開示された技術では、駆動電流を検出する二相の電流センサの出力値に基づいて遮断機能の異常が判定される。しかし、この従来技術は、電流センサに「略０固着故障」が発生した場合、遮断機能の異常を正しく検出できないという課題がある。
【００３６】
従来技術での、二相の電流センサを用いて遮断機能の異常を検出するという方法では、遮断機能確認のカバー範囲に漏れがあるため上述のような課題が発生する。遮断機能が異常であり平滑コンデンサ５０から電流が流出する場合、たとえ上述のように遮断機能の一部が故障している場合でも直流母線Ｌｐからインバータ３０へエネルギーが供給される。
【００３７】
課題解決の観点は、エネルギー供給を検査すればカバー範囲の漏れを防止できるという点である。本実施形態では、平滑コンデンサ５０の放電時に、平滑コンデンサ５０に蓄えられたエネルギーの変化により、エネルギー供給を検査可能であるという点に着眼する。また、平滑コンデンサ５０に蓄えられるエネルギーはコンデンサ電圧Ｖｃの２乗値に比例するため、コンデンサ電圧Ｖｃの変化によってエネルギー供給の検査が可能である。
【００３８】
そこで本実施形態では、平滑コンデンサ５０の電荷放電中のコンデンサ電圧Ｖｃを用いて遮断機能を確認するという課題解決手段を採用する。すなわち異常判定部４５は、放電処理が実施され、且つ、遮断信号ＳＯが出力されている間に、コンデンサ電圧Ｖｃが低下していれば遮断機能に異常があると判定する。つまり本実施形態では、電流センサ７２、７３の出力値を異常診断に用いず、平滑コンデンサ５０に蓄えられたエネルギー変化のみによって遮断機能の異常を判定する。これにより、電流センサ７２、７３の略０固着故障時における異常検出性の確保を図る。
【００３９】
次に、第１実施形態による診断処理を図４のフローチャートに示す。以下のフローチャートで記号Ｓは「ステップ」を表す。図４のステップのうち、放電機能診断のステップＳ１０にはＳ１３及びＳ１４が含まれ、遮断機能診断のステップＳ２０にはＳ２２〜Ｓ２４が含まれる。図４の説明では、「遮断機能の異常」を、具体的に「遮断信号ＳＯの異常」と記す。
【００４０】
Ｓ０１で電源リレーが開動作したとき、制御装置４０は、Ｓ０２でインバータ３０の駆動を開始し、平滑コンデンサの放電を開始する。インバータ３０が駆動されモータ８０に電流が流れると、インバータ３０の駆動が正常であれば平滑コンデンサ５０の電荷が放電されコンデンサ電圧Ｖｃが低下する。しかし、インバータ３０の駆動が異常の場合、コンデンサ電圧Ｖｃが低下しない。
【００４１】
そこで異常判定部４５は、Ｓ１３で、遮断機能が動作する以前の期間にコンデンサ電圧Ｖｃの低下があるか否か判断する。異常判定部４５は、電圧低下があるときインバータ３０の放電機能が正常であると判定し、電圧低下が無くコンデンサ電圧Ｖｃが維持されているときインバータ３０の放電機能が異常であると判定する。具体的には、コンデンサ電圧Ｖｃが放電閾値α以上のとき、又は、コンデンサ電圧低下量ΔＶｃが放電低下量閾値Δα以下のとき、Ｓ１３でＮＯと判断され、Ｓ１４に移行する。Ｓ１４で異常判定部４５は、インバータ３０の放電機能が異常であると判定する。
【００４２】
Ｓ１３でＹＥＳ、すなわち放電機能が正常と判断されると、Ｓ２０の遮断機能診断が実施される。Ｓ２２で遮断信号ＳＯがＯＮした後、Ｓ２３で異常判定部４５は、コンデンサ電圧Ｖｃの低下があるか否か判断する。異常判定部４５は、電圧低下が無いとき遮断信号ＳＯが正常であると判定し、電圧低下があるとき遮断信号ＳＯが異常であると判定する。具体的には、コンデンサ電圧Ｖｃが遮断閾値β以下のとき、又は、コンデンサ電圧低下量ΔＶｃが遮断低下量閾値Δβ以上のとき、Ｓ２３でＹＥＳと判断され、Ｓ２４に移行する。Ｓ２４で異常判定部４５は、遮断信号ＳＯが異常であると判定する。
【００４３】
ここで、電圧低下有無の判定方法について補足する。電圧低下の有無は、最低２点のタイミングで電圧をサンプルし電圧低下量ΔＶｃを評価することにより判定されてもよく、遮断閾値以下の電圧が所定時間継続したことにより判定されてもよい。なお、直流母線Ｌｐ内に放電抵抗が配されている場合、電圧低下量ΔＶｃは放電抵抗の放電による電圧低下分を加味して評価される。具体的には、放電抵抗の放電によるコンデンサエネルギーの時間変化率は「電圧2／抵抗値」となるので、この分が加味されればよい。
【００４４】
Ｓ２３でＮＯ、すなわち遮断信号ＳＯが正常と判断されると、Ｓ３０で異常判定部４５は、異常診断を完了する。図４の処理では、放電機能が正常であることを確認した上で遮断機能診断を実施することで、遮断信号ＳＯに異常が発生しているにもかかわらず正常と誤判定することを回避することができる。ただし、例えば他の診断処理によりインバータ３０の駆動が正常であることが既に確認されている場合等には、Ｓ１０の放電機能診断が省略されてもよい。その場合、Ｓ０２に続いて、Ｓ２２の遮断信号ＯＮのステップが実施されればよい。
【００４５】
第１実施形態の診断処理におけるゲートの動作タイミングとコンデンサ電圧Ｖｃの変化との関係を図５のタイムチャートに示す。バー表示した期間は、平滑コンデンサ５０の放電処理が行われている期間、及び、ゲート遮断信号ＳＯがブリッジ回路６０に出力されている期間を示す。「Ｓ０２」、「Ｓ２２、Ｓ２３」及び「Ｓ３０」は図４のステップ番号に対応する。なお、図５では通信遅れを考慮しない。
【００４６】
時刻ｔ１に放電処理が開始されると、コンデンサ電圧Ｖｃは、診断開始時の電圧Ｖｃｉから放電速度に応じた勾配で低下する。時刻ｔ２から時刻ｔ３まで遮断信号ＳＯが出力されると、遮断信号ＳＯの正常時には実線で示すように、コンデンサ電圧Ｖｃは一定値Ｖｃｓに維持される。時刻ｔ３に異常判定部４５は正常判定し、異常診断が完了する。遮断信号ＳＯの出力が停止するとコンデンサ電圧Ｖｃは再び低下し、収束値Ｖｃｆ（理想的には０）まで低下した時刻ｔ４に放電処理が終了する。
【００４７】
一方、遮断信号ＳＯの異常時には破線で示すように、時刻ｔ２以後もコンデンサ電圧Ｖｃは低下し続け、その後収束値Ｖｃｆに到達する。時刻ｔ３に異常判定部４５は、例えば電圧低下量ΔＶｃが閾値以上であることに基づき異常判定し、異常診断が完了する。
【００４８】
以下、異常診断におけるその他の留意事項について説明する。
＜インバータ駆動時の電流ベクトル＞
放電のためのインバータ駆動時の電流ベクトルは、電流によるトルクが発生しないようにｄ軸方向であることが望ましい。これにより、車両の停止直後に放電が実施される場合に運転者の違和感を回避することができる。なお、電流センサ７２、７３が故障していても、インバータ３０が駆動されれば電流が流れるため放電が実現できる。
【００４９】
＜駆動指令の出力方法＞
放電時にインバータ３０を駆動する制御方法は、電流センサ７２、７３が正常ならば、電流指令と電流検出値との偏差から電圧指令を生成する電流フィードバック制御方式が採用されてもよい。或いは、電流検出値を使用せずに電圧指令を生成する電圧フィードフォワード制御方式が採用されてもよい。
【００５０】
＜放電速度の切り替え＞
コンデンサ電圧Ｖｃに応じて放電速度が切替えられることが望ましい。特に、診断に使用する電圧域より高電圧域では放電速度を速くし、診断に使用する電圧域以下の電圧域では放電速度を遅くする。放電速度を遅くすることにより、診断条件の設定が容易になる。また、放電速度を速くすることにより、放電の完了を早くすることができ安全性が向上する。なお、放電速度は、コンデンサ電圧Ｖｃに応じて段階的に切り替えられてもよいし、連続的に切り替えられてもよい。
【００５１】
＜診断開始時の電圧範囲＞
好ましくは、診断開始時のコンデンサ電圧Ｖｃに応じて診断の実施有無が判定されるとよい。診断開始時の電圧Ｖｃが下限値より低ければ、放電により急激に電圧が降下してしまい正常な診断ができなくなるためである。また、診断開始時の電圧Ｖｃが上限値より高ければ、診断完了までの時間が長くなり安全性を阻害するため、診断を実施しないことで対処できる。図６のフローチャートにおいて、制御装置４０は、Ｓ０４で、診断開始時電圧が下限値以上かつ上限値以下の範囲にあるか判断する。Ｓ０４でＹＥＳの場合、Ｓ０５で診断を実施することとし、Ｓ０４でＮＯの場合、Ｓ０６で診断を不実施とする。
【００５２】
＜直流母線に他の機器が接続されるシステムの扱い＞
図７に示すように、電源リレー１５よりもインバータ３０側の直流母線Ｌｐとグランド線Ｌｎとの間に、平滑コンデンサ５０と並列に他の機器１９が接続されている構成を想定する。他の機器１９とは、例えばＤＣＤＣコンバータやエアコンコンブレッサ等である。このようなシステムでは、電源リレー１５の開動作後に他の機器１９が作動すると、平滑コンデンサ５０の電荷が消費されてしまい、異常診断で正しい判定ができなくなる。したがって、電源リレー１５の開動作前に予め他の機器１９の作動が停止されるようにする必要がある。特に昇圧コンバータが接続される構成については、第７、第８実施形態として後述する。
【００５３】
以上のように、本実施形態の異常判定システム９０１では、電源リレー１５が開動作した後、遮断機能の動作時に検出された平滑コンデンサの電圧Ｖｃが低下していると判断されたとき、異常判定部４５は、遮断機能が異常であると判定する。特許文献１の従来技術のように電流センサ７２、７３の電流値を用いるのでなく、コンデンサ電圧Ｖｃのみに基づいて遮断機能の異常を判定するため、電流センサ７２、７３のうち一つ以上が略０固着故障した場合でも、遮断機能の異常診断を適切に実施することができる。
【００５４】
また、この異常判定システム９０１では、放電処理の開始後、遮断機能が動作する以前の期間に、コンデンサ電圧Ｖｃが維持していると判断されたとき、異常判定部４５は、インバータ３０の放電機能が異常であると判定する。放電機能が正常であることを確認した上で遮断機能診断を実施することで、遮断信号ＳＯに異常が発生しているにもかかわらず正常と誤判定することを回避することができる。
【００５５】
（第２実施形態）
第１実施形態に対しコンデンサ電圧の変化を検出する構成が異なる第２実施形態を図８に示す。第２実施形態の異常判定システム９０２は、図１、図２の電圧センサ５１に代えて電流センサ５２を備える。電流センサ５２は、平滑コンデンサ５０とブリッジ回路６０との間の直流母線Ｌｐ上に設けられ、平滑コンデンサ５０の高電位側電極から流出する電流Ｉｃを検出する。平滑コンデンサ５０の高電位側電極からブリッジ回路６０に流出する電流Ｉｃはコンデンサ電圧Ｖｃと相関があるため、この構成ではコンデンサ電圧Ｖｃの変化が間接的に検出される。
【００５６】
具体的には、電流センサ５２の出力値が略０［Ａ］のとき、「電圧低下なし」、すなわち図４のＳ２３で「ＮＯ」と判断され、遮断機能が正常と判定される。一方、電流センサ５２の出力値が略０［Ａ］でないとき、「電圧低下あり」、すなわち図４のＳ２３で「ＹＥＳ」と判断され、遮断機能が異常と判定される。このように第２実施形態でも第１実施形態と同様に、遮断機能の異常診断を実施可能である。
【００５７】
ただし、電流センサ５２の固着故障時に遮断機能の異常が誤判定されるおそれがある。そこで、誤判定を防止するため、遮断機能を動作させる以前の放電処理時に、予め、電流センサ５２により電流値が出力されることが確認されることが好ましい。以下の各実施形態では、第１実施形態に準じ電圧センサ５１を用いる方式、又は、第２実施形態に準じ電流センサ５２を用いる方式のいずれによりコンデンサ電圧Ｖｃが検出されてもよい。
【００５８】
（第３実施形態）
第３実施形態について図９〜図１１を参照して説明する。図９に示すように、第３実施形態の異常判定システム９０３では複数の遮断信号が用いられる。制御装置４０は、インバータ３０の制御全体を統括するメインマイコン４２、モータ８０の駆動に関する制御を行うモータ制御マイコン４３の他、ＯＲ回路４７及びＡＮＤ回路４８を含む。メインマイコン４２は異常判定部４５を含み、モータ制御マイコン４３はゲート指令部４４を含む。
【００５９】
電源リレー１５が開動作したとき、車両制御装置２０からの診断指令がＣＡＮ通信により制御装置４０のメインマイコン４２に送信される。これに基づき、メインマイコン４２は、メイン遮断信号ＳＯ−Ａを生成し、モータ制御マイコン４３は、モータ制御遮断信号ＳＯ−Ｂを生成する。また、車両制御装置２０から車両制御装置制御信号ＳＯ−Ｃが送信される。ＯＲ回路４７は、メイン遮断信号ＳＯ−Ａ、モータ制御遮断信号ＳＯ−Ｂ、車両制御装置制御信号ＳＯ−Ｃのうちいずれか一つ以上が入力されたとき、「遮断信号あり」を意味するＯＮ信号を出力する。
【００６０】
ＡＮＤ回路４８は、モータ制御マイコン４３から駆動信号ＤＲが入力され、且つ、ＯＲ回路４７からＯＮ信号の入力が無いとき、ブリッジ回路６０に駆動信号ＤＲを出力する。一方、ＡＮＤ回路４８は、ＯＲ回路４７からＯＮ信号が入力されたとき、ブリッジ回路６０に駆動信号ＤＲを出力しないことで、遮断機能を動作させる。
【００６１】
制御装置４０内の複数のマイコン４２、４３や車両制御装置２０により複数の遮断信号ＳＯ−Ａ、ＳＯ−Ｂ、ＳＯ−Ｃが重複して生成されることで、いずれかの遮断信号の生成が何らかの原因で失陥した場合でも、他の遮断信号により遮断機能が実現される。したがって、遮断機能の確保に対する信頼性が向上する。
【００６２】
図１０のフローチャート及び図１１のタイムチャートに、複数の遮断信号がある場合の診断処理を示す。図１０のＳ０１で電源リレーが開動作したとき、制御装置４０は、Ｓ０２で平滑コンデンサの放電を開始し、Ｓ１０で放電機能診断を実施する。次に制御装置４０は、Ｓ２０Ａでメイン遮断信号ＳＯ−Ａの遮断機能診断を実施し、Ｓ２０Ｂでモータ制御遮断信号ＳＯ−Ｂの遮断機能診断を実施し、Ｓ２０Ｃで車両制御装置遮断信号ＳＯ−Ｃの遮断機能診断を実施する。全ての遮断信号の遮断機能診断が終了すると、Ｓ３０で異常診断が完了する。
【００６３】
複数の遮断信号を同時に異常診断すると、異常検出されたとき、どの遮断信号が異常であるか識別できない。このことを「異常検出の干渉」という。例えば特許文献１の従来技術では、ＨＶ−ＥＣＵからの緊急遮断指令ＨＳＤＮ、又は、制御部からの遮断指令ＨＳＤＮ１＃、ＨＳＤＮ２＃の異常について、いずれの異常であるか特定していない。すなわち、複数の遮断指令についての異常検出の干渉に関し考慮されていない。
【００６４】
それに対し第３実施形態では、制御装置４０は各遮断信号ＳＯ−Ａ、ＳＯ−Ｂ、ＳＯ−Ｃに対する診断を順番に実施する。ここで、各遮断信号は、自信号の診断が実施されていないときはＯＦＦされる。つまり異常判定部４５は、複数の遮断信号ＳＯ−Ａ、ＳＯ−Ｂ、ＳＯ−Ｃについて、互いの作動が排他的である期間における平滑コンデンサ５０の電圧低下に基づいて異常を判定する。したがって、異常検出の干渉を回避することができる。
【００６５】
なお図１１に「ＯＬ」で示すように、各遮断信号のＯＮ期間が互いにオーバーラップするように連続されることが好ましい。仮に遮断信号のＯＦＦ期間が発生すると放電が進んでコンデンサ電圧Ｖｃが低下し、診断対象となる電圧低下の幅が小さくなるためである。全ての遮断信号ＳＯ−Ａ、ＳＯ−Ｂ、ＳＯ−Ｃが正常の場合、時刻ｔ２から時刻ｔ３までコンデンサ電圧Ｖｃは一定値Ｖｃｓに維持される。
【００６６】
また、どの遮断信号を最初に診断しても構わないが、「放電機能診断」を判定する制御装置又はマイコンの遮断信号を最初にＯＮすることが好ましい。これにより、「放電機能診断」の完了から遮断信号ＯＮまでの、通信遅れ分の時間を短縮することができる。したがって、平滑コンデンサ５０の不要な電荷放電を防止し、以降の診断において診断対象となる電圧低下の幅をできるだけ大きく確保することができる。
【００６７】
（第４実施形態）
次に図１２〜図１４を参照し、第４実施形態として、複数のインバータを備える異常判定システムの構成例について説明する。図１２に示すように、第４実施形態の異常判定システム９０４は、複数のインバータ３０１、３０２がバッテリ１０に対して並列に接続されている。第１インバータ３０１は第１モータ８０１に電力供給し、第２インバータ３０２は第２モータ８０２に電力供給する。第１モータ８０１及び第２モータ８０２は、一台のデュアル巻線モータとして構成されてもよい。また、三つ以上のインバータを備えるシステムにも同様に適用可能である。
【００６８】
図１２における各構成要素の符号について、第１インバータ３０１の要素には符号末尾に「１」を付し、第２インバータ３０２の要素には符号末尾に「２」を付す。バッテリ１０の直流電圧は、直流母線Ｌｐの分岐点Ｂを経由して各インバータ３０１、３０２のブリッジ回路６０１、６０２に入力される。電源リレー１５は、各インバータ３０１、３０２への分岐点Ｂよりもバッテリ１０側の直流母線Ｌｐ上に設けられている。
【００６９】
各インバータ３０１、３０２の制御装置４０１、４０２には、自身のインバータを遮断する遮断信号が入力される。図１３に、各インバータ３０１、３０２の制御装置４０１、４０２における遮断信号の入出力構成を示す。図１３には、第３実施形態の図９に準じ、各インバータに対し複数の遮断信号が使用される構成を示すが、第１実施形態の図３に準じ、各インバータに対し一つの遮断信号が使用される構成であってもよい。各メインマイコン４２１、４２２は異常判定部４５１、４５２を含み、各モータ制御マイコン４３１、４３２はゲート指令部４４１、４４２を含む。
【００７０】
電源リレー１５が開動作したとき、車両制御装置２０からの診断指令がＣＡＮ通信により各制御装置４０１、４０２のメインマイコン４２１、４２２に送信される。これに基づき、各メインマイコン４２１、４２２は、メイン遮断信号ＳＯ−Ａ１、ＳＯ−Ａ２を生成し、各モータ制御マイコン４３１、４３２は、モータ制御遮断信号ＳＯ−Ｂ１、ＳＯ−Ｂ２を生成する。また、車両制御装置２０から各制御装置４０１、４０２に対し、車両制御装置制御信号ＳＯ−Ｃ１、ＳＯ−Ｃ２が送信される。各ＡＮＤ回路４８１、４８２は、いずれかの遮断信号がＯＲ回路４７１、４７２に入力されたとき、駆動信号ＤＲ１、ＤＲ２に優先して遮断信号をブリッジ回路６０１、６０２に出力する。
【００７１】
第４実施形態の診断処理を図１４のフローチャートに示す。図１４においてＳ１００、Ｓ２００は、それぞれ第１インバータ３０１、第２インバータ３０２についての放電処理及び遮断機能の異常診断を包含した「インバータ診断」のステップを示す。第４実施形態では、電源リレー１５が開動作した後、各インバータ３０１、３０２についての放電処理及び遮断機能の異常診断を、インバータ一つずつ順に実施する。
【００７２】
Ｓ０１で電源リレー１５が開動作すると、まず第１インバータ３０１の制御装置４０１は、Ｓ１００で第１インバータの診断を実施し、Ｓ１３０で第１インバータの診断を完了する。次に第２インバータ３０２の制御装置４０２は、Ｓ２００で第２インバータの診断を実施し、Ｓ２３０で第２インバータの診断を完了する。なお、各インバータ３０１、３０２の診断順序を入れ替えてもよい。
【００７３】
第４実施形態のシステム構成では、複数のインバータ３０１、３０２の平滑コンデンサ５０１、５０２の高電位電極同士が直流母線Ｌｐを介して接続されており、低電位電極同士がグランド線Ｌｎを介して接続されている。そのため、仮に複数のインバータ３０１、３０２のうち一方の遮断機能が正常で他方の遮断機能が異常の場合、異常診断を同時に実施すると、正常なインバータから異常なインバータへ電流が流れることとなる。したがって、各インバータのコンデンサ電圧Ｖｃ１、Ｖｃ２の低下を独立して正確に検出することが困難となる。
【００７４】
以下、複数のインバータ間で直流母線Ｌｐを経由して電流が流れ各コンデンサ電圧Ｖｃ１、Ｖｃ２が混同することを「コンデンサ電圧の干渉」という。また、それより各インバータ３０１、３０２の異常検出に影響が及ぶことを「異常検出の干渉」という。
【００７５】
特許文献１の従来技術では、複数のインバータに対し蓄電装置の直後に共通のシステムメインリレーが設けられるシステム構成において、各インバータのモータ電流ＭＣＲＴ１、ＭＣＲＴ２は、タイミングが区別されることなく電流検出部に入力される。すなわち、複数のインバータ間での異常検出の干渉に関し考慮されていない。それに対し第４実施形態では、各インバータ３０１、３０２を一つずつ順に診断することでコンデンサ電圧Ｖｃの干渉による異常検出の干渉を回避し、正確な診断を実施することができる。
【００７６】
（第５実施形態）
第４実施形態と同様に複数のインバータを備えるシステムにおける異常診断の別の実施例として、第５実施形態の診断処理を図１５のフローチャートに示す。システム構成については、第４実施形態と共通に図１２、図１３を参照する。各インバータ３０１、３０２の制御装置４０１、４０２は、一回のリレー開動作に対応して、順に選択される一つ以上のインバータについての放電処理及び遮断機能の異常診断を実施する。
【００７７】
図１５においてステップ番号の「Ｓ０１−１」は、ある時点を基準として１回目の電源リレー１５の開動作を示し、「Ｓ０１−２」は、一旦電源リレー１５が閉じた後の２回目の電源リレー１５の開動作を示す。例えば車両が走行を停止し、１回目にレディオフしたときがＳ０１−１に相当し、その後、再びレディオンして走行してから停止し、２回目にレディオフしたときがＳ０１−２に相当する。
【００７８】
Ｓ０１−１で１回目に電源リレー１５が開動作すると、第１インバータ３０１の制御装置４０１は、Ｓ１００で第１インバータの診断を実施し、Ｓ１３０で第１インバータの診断を完了する。そして、Ｓ０９で電源リレー１５が閉じる。その後、Ｓ０１−２で２回目に電源リレー１５が開動作すると、第２インバータ３０２の制御装置４０２は、Ｓ２００で第２インバータの診断を実施し、Ｓ２３０で第２インバータの診断を完了する。なお、各インバータ３０１、３０２の診断順序を入れ替えてもよい。
【００７９】
第５実施形態では第４実施形態と同様に、複数のインバータ３０１、３０２の診断時における異常検出の干渉を回避することができる。また、第５実施形態では、一回の診断で一つのインバータあたりに放電可能な電荷許容量が増大するため、診断に用いる電圧低下の幅を大きく確保することができる。したがって、この診断を適用可能な車両システムの範囲を広げることができる。
【００８０】
なお、多数のインバータを備えるシステムにおいて、第４実施形態と第５実施形態とを組み合わせて異常診断を実施してもよい。例えば六つのインバータを順に診断する場合、一回のリレー開動作毎に二つのインバータを順に診断し、三回のリレー開動作で六つのインバータの診断を完了するようにしてもよい。
【００８１】
（第６実施形態）
図１６に第６実施形態として、複数のインバータを備える異常判定システムの別の構成例を示す。第６実施形態の異常判定システム９０６は、複数のインバータ３０１、３０２と、複数の電源リレー１５１、１５２とを備える。各電源リレー１５１、１５２は、直流母線Ｌｐの分岐点Ｂよりもインバータ３０１、３０２側に設けられており、バッテリ１０から各インバータ３０１、３０２のブリッジ回路６０１、６０２への電力供給を個別に遮断可能である。すなわち、システム構成により異常検出の干渉を回避している。
【００８２】
この異常判定システム９０６では、開動作した電源リレーに対応するインバータ毎に、放電処理及び遮断機能の異常診断を独立して同時に実施することができる。したがって、第４、第５実施形態のように各インバータ３０１、３０２の放電処理及び遮断機能の異常診断を別々のタイミングで実施する必要がないため、診断時間を短縮することができる。
【００８３】
（第７実施形態）
次に図１７を参照し、バッテリ１０と一つのインバータ３０との間に昇圧コンバータ１８が設けられた第７実施形態の異常判定システム９０７について説明する。昇圧コンバータ１８は、インダクタ及びスイッチング素子を含む周知のチョッパー回路等により構成され、スイッチング動作によりバッテリ１０の電圧を昇圧してインバータ３０に出力する。昇圧コンバータ１８のバッテリ１０側には、インバータ３０の平滑コンデンサ５０とは別のコンバータ前コンデンサ１７が設けられる。ただし、コンバータ前コンデンサ１７は、異常診断に用いられる「コンデンサ電圧Ｖｃ」とは関係無い。なお、昇圧コンバータ１８は、図７における「他の機器１９」の一例に相当する。
【００８４】
異常判定システム９０７は、一つのインバータ３０について、第１〜第３実施形態に準ずる方法で遮断機能の異常診断を実施する。この場合、異常判定システム９０７は、遮断機能の異常診断を実施する前に、昇圧コンバータ１８のスイッチング動作を停止する。これにより、昇圧コンバータ１８の昇圧動作や電流消費によるコンデンサ電圧Ｖｃへの影響を排除することができる。
【００８５】
（第８実施形態）
次に図１８、図１９を参照し、バッテリ１０と複数のインバータ３０１、３０２との間に昇圧コンバータ１８が設けられた第８実施形態の異常判定システム９０８について説明する。図１８の構成は、図１２に示す第４実施形態の異常判定システム９０４において、電源リレー１５と直流母線Ｌｐの分岐点Ｂとの間に昇圧コンバータ１８を設けた構成に相当する。
【００８６】
異常判定システム９０８は、複数のインバータ３０１、３０２について、第４〜第６実施形態に準ずる方法で遮断機能の異常診断を実施する。この場合、異常判定システム９０８は、遮断機能の異常診断を実施する前に、昇圧コンバータ１８のスイッチング動作を停止する。これにより、昇圧コンバータ１８の昇圧動作や電流消費によるコンデンサ電圧Ｖｃ１、Ｖｃ２への影響を排除することができる。
【００８７】
また図１９に示すように、異常判定システム９０８において、診断対象のインバータが一部のインバータ（例えば第１インバータ３０１）のみに限定されてもよい。診断対象が一つのインバータに限定される場合、異常判定システム９０８は、第１〜第３実施形態に準ずる方法で遮断機能の異常診断を実施する。この場合も同様に、異常判定システム９０８は、遮断機能の異常診断を実施する前に、昇圧コンバータ１８のスイッチング動作を停止する。これにより、昇圧コンバータ１８の昇圧動作や電流消費によるコンデンサ電圧Ｖｃ１への影響を排除することができる。
【００８８】
（その他の実施形態）
（ａ）上記実施形態では、車両制御装置２０とインバータ３０の制御装置４０とが協働して放電処理や遮断機能の動作を実現している。ここで、どの機能をどの装置が分担するかは、適宜設計してよい。例えば制御装置４０が直接電源リレー１５を操作してもよい。或いは、車両制御装置２０が「インバータの制御装置」としての機能を包含してもよい。
【００８９】
（ｂ）直流電力供給源はバッテリに限らず、電気二重層キャパシタや、交流電力を整流して直流電力を出力する変換器等であってもよい。また、特許文献１のシステムと同様にバッテリとインバータとの間に昇圧コンバータが設けられてもよい。
【００９０】
（ｃ）本発明による異常判定システムは、車両のモータに電力供給するインバータに限らず、どのような用途の回転電機に電力供給するインバータに適用されてもよい。その場合、上記実施形態の「車両制御装置」に代えて、インバータの周辺を含めたシステム全体の動作を管理する「統括制御装置」により放電指示や診断指示がなされてもよい。
【００９１】
以上、本発明は、上記実施形態になんら限定されるものではなく、その趣旨を逸脱しない範囲において種々の形態で実施可能である。
【００９２】
本開示に記載の制御装置及びその手法は、コンピュータプログラムにより具体化された一つ乃至は複数の機能を実行するようにプログラムされたプロセッサ及びメモリを構成することによって提供された専用コンピュータにより、実現されてもよい。あるいは、本開示に記載の制御装置及びその手法は、一つ以上の専用ハードウェア論理回路によってプロセッサを構成することによって提供された専用コンピュータにより、実現されてもよい。もしくは、本開示に記載の制御装置及びその手法は、一つ乃至は複数の機能を実行するようにプログラムされたプロセッサ及びメモリと一つ以上のハードウェア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【符号の説明】
【００９３】
１０  ・・・バッテリ（直流電力供給源）、
１５（１５１、１５２）・・・インバータ、
３０（３０１、３０２）・・・インバータ、
４０（４０１、４０２）・・・制御装置、
４４  ・・・ゲート指令部、  ４５  ・・・異常判定部、
４８  ・・・ＡＮＤ回路（信号切替部）、
５０（５０１、５０２）・・・平滑コンデンサ、
６０（６０１、６０２）・・・ブリッジ回路、  ６１−６６・・・スイッチング素子、
８０（８０１、８０２）・・・モータ（回転電機）、
９０（９０１−９０４、９０６−９０８）・・・異常判定システム。
【図１】
2020018157.tif 000003
【図２】
2020018157.tif 000004
【図３】
2020018157.tif 000005
【図４】
2020018157.tif 000006
【図５】
2020018157.tif 000007
【図６】
2020018157.tif 000008
【図７】
2020018157.tif 000009
【図８】
2020018157.tif 000010
【図９】
2020018157.tif 000011
【図１０】
2020018157.tif 000012
【図１１】
2020018157.tif 000013
【図１２】
2020018157.tif 000014
【図１３】
2020018157.tif 000015
【図１４】
2020018157.tif 000016
【図１５】
2020018157.tif 000017
【図１６】
2020018157.tif 000018
【図１７】
2020018157.tif 000019
【図１８】
2020018157.tif 000020
【図１９】
2020018157.tif 000021